(57)【要約】【課題】保水性の向上を図り、農作物や果実の立体的栽培と育成の効率化を可能とするとともに、作業効率の向上、土地の有効利用と空間的演出効果を可能とする植栽用材用具を提供する。【解決手段】ココナツヤシの粉末を所定の硬度をもって任意形状にブロック化して凹部１ａ，１ｂを有する第１の植栽用材１を形成するとともに、ココナツヤシの粉末を所定の硬度をもって任意形状にブロック化して凸部２ａ，２ｂを有する第２の植栽用材２とを形成し、第２の植栽用材２の凸部２ａ，２ｂを第１の植栽用材１の凹部１ａ、１ｂに嵌合させて第１の植栽用材１と第２の植栽用材２とを連結し、第１の植栽用材１と第２の植栽用材２に植物を植える。【選択図】　図１
0003097687.tif 000002
【実用新案登録請求の範囲】
【請求項１】
ココナツヤシの粉末を所定の硬度をもって任意の形状にブロック化して外表面の所定の位置にそれぞれ凸部または凹部の少なくとも一方を有する複数個の植栽用材を形成し、
上記凸部を有する上記植栽用材の上記凸部を上記凹部を有する上記植栽用材の凹部に嵌合させることにより複数個の植栽用材を連結または組み合せることを特徴とする植栽用材用具。
【請求項２】
上記植栽用材は、外周縁を木製の枠に取り付けて単一で植栽用材用具としたことを特徴とする請求項１に記載の植栽用材用具。
【考案の詳細な説明】
【０００１】
【考案の属する技術分野】
この考案は、ココナツヤシの粉末を植物栽培に適する硬度をもって任意形状にロック化して、所定数連結、または組み合わせて、園芸、農産物などの栽培を立体的、空間的に利用拡大することができ、植物の育成、栽培などに対して総合的に利用価値を高めることができるようにした植栽用材用具に関する。
【０００２】
【従来の技術】
従来、観葉植物や薔薇などの各種草花の苗木栽培などに使用する植栽用材用具に、ココナツヤシの粉末を固形成形したものが使用される場合がある。
この種の植栽用材用具の形状は、すべて板状、マット状にしたものであり、要するに２次元的形状を成している。
このような２次元的形状の植栽用材用具は平面のみ使用されているか、あるいは植木鉢に植栽する際に植木鉢の下部に入れて床状に使用して、保水用に使用されている。
【０００３】
【考案が解決しようとする課題】
このような従来のココナツヤシの粉末を固形成形した植栽用材用具は、平面的使用が基本であり、水分の蒸発を促進させることになり、ココナツヤシの粉末が特徴とする水分保留率の優秀さを生かすことができない。
また、平面的に使用することにより、必然的に固形化の形状の任意性を損なうことになるとともに、適当な寸法値による立体的、空間利用についての用途が制限されることになる。
したがって、土地有効利用を妨げ、植栽された農産物などの育成作業の効率向上を期することができないなどの課題がある。
【０００４】
この考案は、上記従来の課題を解決するためになされたもので、農作物などの立体的栽培、育成を可能とするとともに、農作物や果実栽培の作業効率の向上を可能とし、さらには、土地の有効利用、空間的演出効果の向上が屋内外を問わずに得られる植栽用材用具を提供することを目的とする。
【０００５】
【課題を解決するための手段】
上記目的を達成するために、この考案の植栽用材用具は、ココナツヤシの粉末を所定の硬度をもって任意の形状にブロック化して外表面の所定の位置にそれぞれ凸部または凹部の少なくとも一方を有する複数個の植栽用材を形成し、上記凸部を有する上記植栽用材の上記凸部を上記凹部を有する上記植栽用材の凹部に嵌合させることにより複数個の植栽用材を連結または組み合せることを特徴とする。
【０００６】
【考案の実施の形態】
以下、この考案による植栽用材用具の実施の形態について図面の基づき説明する。図１はこの考案の第１実施の形態を示す平面図である。
この図１に示す第１実施の形態では二つの植栽用材を用いて植栽用材用具を構成している場合を例示している。
この図１において、ココナツヤシの粉末を植物栽培に適する硬度をもって任意形状、すなわち直方体状にブロック化して第１の植栽用材１を形成している。
この第１の植栽用材１の表面、たとえば、直方体の左右両端面の中央部には、四角い凹部１ａ，１ｂが第１の植栽用材１と一体的に形成されている。
【０００７】
また、この第１の植栽用材１に連結する第２の植栽用材２も、第１の植栽用材１と同様にココナツヤシの粉末を植物栽培に適する硬度をもって直方体状にブロック化して形成されている。
この直方体状をなす第２の植栽用材２の左右両端面の中央部には、それぞれ角柱状の凸部２ａ，２ｂが第２の植栽用材２とが一体的に形成されている。
凸部２ａ，２ｂは、第１の植栽用材１の両端面に形成された凹部１ａ，１ｂに着脱可能に嵌合するためのものである。
【０００８】
すなわち、第１の植栽用材１に第２の植栽用材２を連結して使用する場合には、第２の植栽用材２の凸部２ａ，２ｂのいずれか一方を第１の植栽用具１の凹部１ａ，１ｂのいずれか一方に嵌合させて、第１の植栽用材１と第２の植栽用材２とを連結させる。
この第１の植栽用材１と第２の植栽用材２の両者を連結させた状態で、所定の草花、苗木、農作物などを植栽する。
【０００９】
図２はこの第１実施の形態による植栽用材用具の使用例を示す正面図である。この図２からも明らかなように、建造物の外構、すなわち住宅用の観音開きの形態をなす門扉３の両側に積み重ねられた１対のコンクリートブロックによる門柱４ａ，４ｂの一方の上面（図２では、門柱４ｂの上面）に植栽用材用具を直立させている状態を示している。
すなわち、第１の植栽用材１の一方の凹部１ａに第２の植栽用具２の凸部２ａを嵌合させるとともに、第１の植栽用材１の他方の凹部１ｂに第２の植栽用具２（２個目の第２の植栽用材２）の凸部２ｂを嵌合させることにより３個連結して直立させた植栽用材用具として使用している。
この場合、下側の第２の植栽用材２に設けられている凸部２ａは、門柱４ｂの上面にあらかじめ形成された凹部（図示せず）に嵌合されている。
【００１０】
このようにして、１個の第１の植栽用材１の両端に２個の第２の植栽用材２を縦方向に連結した状態の植栽用材用具を門柱４ｂの上面に直立させて、植栽用材用具に薔薇などの所定の植物５を植栽する。
植栽用材用具に植栽された草花、苗木などに給水する場合に、植栽用材用具は複数個（図２の例では３個）されているので、全体の体積が増大し、しかも平面的ではなく立体的であるから、植栽用材用具に含浸された水分は蒸発し難く、長時間に亘って植栽用材用具が湿潤された状態を保持する。
つまり、ココナツヤシ固有の保水作用と相俟って立体化による植栽用材用具の体積の増大化との相乗効果により、保水効果が期待できる。
【００１１】
したがって、栽培の作業効率の向上と、育成の容易化が可能となる。また、直立させて植栽用材用具を使用しているから空間的に利用することができ、空間に植栽しているから、草花、植物などの空間の色彩的演出効果が可能となる。
この図２に示す場合には、門柱に適用する場合を例示しているが、温室、ビニールハウスなどの園芸場においては、その壁面に柵などを張り巡らして、上記の凹部１ａ．１ｂあるいは凸部２ａ，２ｂを嵌合する凹部を設けておけば、多数の第１の植栽用材１、第２の植栽用材２を連結させるとともに、第２の植栽用材２の凸部２ａまたは２ｂを凹部に嵌合させ、第１の植栽用材１、第２の植栽用材２に農作物、果物栽培などの苗木などを植栽するように適用した場合では、上記の保水効果による給水作業の回数削減を可能とし、作業性の向上、生産性の向上、空間の効率的利用が期待される。
【００１２】
なお、上記第１実施の形態では、第１の植栽用材１、第２の植栽用材２はそれぞれ直方体状の形状を有する場合について例示したが、この考案は特に形状については限定するものではなく、たとえば、三角錐などの各種の形状を有するものでよい。
さらに、上記の凸部２ａ，２ｂの形状も円錐状、円柱状、など任意の形状でよく、これらの凸部２ａ，２ｂが凹部に着脱可能に嵌合できるように凹部１ａ，１ｂの形状も凸部２ａ，２ｂの形状に合わせて形成すればよい。
また、凹部１ａ，１ｂ、凸部２ａ、２ｂはそれぞれ複数個形成しても良いことは自明である。
【００１３】
図３は、この考案の第２実施の形態を示す平面図である。この第２実施の形態では、第２の植栽用材２として、ココナツヤシの粉体を植栽に好適なように、適度の硬度をもって「Ｌ」字型の角柱状に形成し、その両端に円錐状の凸部２ａ，２ｂを一体的に形成するとともに、第１の植栽用材１もココナツヤシの粉体で植栽に好適なように、適度の硬度をもって「Ｌ」字型の角柱状に形成し、その両端に凸部２ａ，２ｂの形状に合致するように凹部１ａ，１ｂが形成されている。
かくして、第１の植栽用材１と第２の植栽用材２とにより植裁用材用具を構成している。
この第２実施の形態の場合も第１の植栽用材１の凹部１ａ，１ｂのいずれかに、第２の植栽用材２の凸部２ａ，２ｂのどちらかを嵌合することにより、第１の植栽用材１と第２の植栽用材２とを連結することができ、上記第１実施の形態の場合と同様の効果が得られる。
【００１４】
図４はこの考案による植栽溶剤用具の第３実施の形態を示す平面図である。この第３実施の形態では、ココナツヤシの粉体を植栽に好適なように、適度の硬度をもって円柱状に形成し、さらに半円形に変形して植栽用材６としたものである。
この場合の植栽用材６は、その一方の端面の中央部に円錐状の凸部６ａを形成し、他方の端面には、この凸部６ａの形状に適合する形状の凹部６ｂが形成されている。
図４では、１個の植栽用材６のみが示されているが、実際に使用する場合には、この植栽用材６と同一形状のものを複数個、たとえば、簡単な場合２個用意し、一方の植栽用材６の凸部６ａを他方の植栽用材６の凹部６ｂに嵌合して、２個結合させて上記第１実施の形態の場合と同様の要領で使用する。
また、場合によっては、上記の第１の植栽用材１、第２の植栽用材２とを適宜組み合せてもよい。
この第３実施の形態の場合も第１実施の形態と同様の効果を奏することは勿論である。
【００１５】
図５は、この考案による植栽用材用具の第４実施の形態をアーチ型門柱に使用した場合を示す斜示図である。
この第４実施の形態では、上記各実施の形態の場合と同様に、ココナツヤシの粉末で植栽に好適な硬度で球状に形成されており、例えば、第１の植栽用材７、第２の植栽用材８はともに同一形状である。
また、これらの第１の植栽用材７、第２の植栽用材８のそれぞれの所定の表面には、円錐状の凸部７ａ，８ａが任意の個数形成されているとともに、図示されていないが、これらの凸部７ａ，８ａに対応する形状の凹部が設けられている。この凹部に凸部７ａまたは８ａを嵌合することにより第１の植栽用材７、第２の植栽用材８を連結することができるようになっている。
【００１６】
図５の場合は、さらにこの二つの第１の植栽用材７、第２の植栽用材８の凸部７ａ，８ａをアーチ型門柱９の所定位置に嵌合させて、アーチ型門柱９に固定している場合を示している。
第１の植栽用材７、第２の植栽用材８には、薔薇の苗木などを植えることにより、アーチ型門柱９を薔薇で飾ることができるようにしている。
アーチ型門柱９の下部の内面には、観音開きの門扉１０が取り付けられている。このようなアーチ型門柱９にこの考案を適用することにより、上記各実施の形態と同様の効果を得るこたができ、特に、空間の有効利用と、色彩的にも美観を呈し、装飾的演出効果が得られる。
【００１７】
次に、この考案による第５実施の形態について説明する。この第５実施の形態の場合は、家屋などの建造物の外構として、すなわち生垣などに適用する場合に好適な例を示している。
図６はこの第５実施の形態を生垣に適用した場合の斜示図である。図６において、あらかじめコンクリートブロック１１ａ〜１１ｂｄを一列に配置して、セメントで地面の表面上に固定しておく。
【００１８】
また、コンクリートブロック１１ａ〜１１ｂｄの上面の所定位置に凹部（図示せず）を設けておく。
この凹部は、通常のコンクリートブロック１１ａ〜１１ｄに形成されている貫通した孔を利用すればよく、この孔に所定量のセメントを充填することにより、容易に凹部を形成することができる。
さらに、たとえば、木製などによる上枠１２もあらかじめ用意しておく。上枠１２の下面には、１列に所定間隔で複数の凹部（図示せず）を形成しておく。
上枠１２はコンクリートブロック１１ａ〜１１ｄ上に植設される植栽用材を固定するためのものである。
【００１９】
次に、この植栽用材について説明する。図６で示す実施の形態では、植栽用材用具は、４個の植栽用材１３〜１６を一列に連結した場合を示している。
これらの植栽用材１３〜１６も上記各実施の形態で述べたのと同様に、ココナツヤシの粉末を植物の植栽に好適な硬度を有するように、肉厚の長方形の板状に形成されている。
植栽用材１３〜１６の上端面には、それぞれ複数の円錐状の凸部１３ａ，１４ａ，１５ａ，１６ａが植栽用材１３〜１６のそれぞれと一体的に形成されている。
これらの各凸部１３ａ，１４ａ，１５ａ，１６ａは、上記上枠１２の凹部に嵌合させるためのものである。
【００２０】
同様に、植栽用材１３〜１６のそれぞれの下端面にも複数の円錐状の凸部１３ｂ，１４ｂ，１５ｂ，１６ｂが形成されている。
各凸部１３ｂ，１４ｂ，１５ｂ，１６ｂはそれぞれ上記コンクリートブロック１１ａ〜１１ｄの上面に形成されている凹部に嵌合するためのものである。
植栽用材１３〜１５の一方の側面（図６の右側の側面）には、それぞれ複数の凸部１３ｃ，１４ｃ，１５ｃが形成されている。
植栽用材１４〜１６の他方の側面（図６の左側の側面）には、それぞれ複数の凹部（図示せず）が形成されている。
これらの各凹部は、上記凸部１３ｃ，１４ｃ，１５ｃを嵌合するためのものである。
【００２１】
植栽用材１３〜１６の下端面側の各凸部１３ａ〜１６ａは、コンクリートブロック１１ａ〜１１ｄの上面に形成されている凹部に嵌合させるとともに、植栽用材１３〜１５の右側の側面に形成されてい凸部１３ｃ〜１５ｃを植栽用材１４〜１６の左側の側面に形成されている凹部に嵌合させる。
さらに、植栽用材１３〜１６のの上端面に形成されている凸部１３ｂ〜１６ｂをそれぞれ上枠１２の下面側に形成されている凹部に嵌合させる。
かくして、４個の植栽用材１３〜１６が横一列に連結され、しかもコンクリートブロック１１ａ〜１１ｄと上枠１２との間に固定される。これにより塀垣の形態を整えることになる。
【００２２】
次いで、このようにコンクリートブロック１１ａ〜１１ｄと上枠１２との間に固定された４個の植栽用材１３〜１６の全面に蔦、苺、薔薇などの蔓状の植物１７を植え付けることにより、全体として生垣の形態を成すことになり、土地の有効利用に加えて園芸、外構などの演出効果が得られる。
しかも、この場合、４個の植栽用材１３〜１６が連結しているから、全体的に体積が４倍となるとともに、全面に蔓性の植物が植えられているから、４個の植栽用材１３〜１６の表面を覆うことになり、これらの植物で直斜日光を遮り、保水性が格段に向上し、給水作業の回数を削減でき、栽培作業能率の向上、栽培育成の向上を期することができる。
【００２３】
次に、この考案による第６実施の形態について説明する。図７はこの第６実施の形態を示す斜示図である。
この第６実施の形態の場合は、植栽用材１８のが外周縁を木製で方形の枠１９に嵌め込んでセットものとした植栽用材用具２０の場合を示している。
すなわち、植栽用材１８は上記各実施の形態の場合と同様に、ココナツヤシの粉末を適度の硬度を有するようにして四角い厚板状に固形化し、その外周縁に複数個の凸部（図示せず）を設け、これらの凸部を枠１９の内周面に形成された凹部（図示せず）に嵌合することにより枠１９に固定し、単一で植栽用材用具２０のセットものとしたものである。
このように構成することにより、複数の植栽用材用具２０を任意の組み込みが可能となる。
なお、この考案は、上述し、図面に示す実施の形態にのみ限定されることなく、その要旨を変更しない範囲内で種々変形して実施するこができるのは、いうまでもない。
【００２４】
【考案の効果】
以上のように、この考案によれば、ココナツヤシの粉末を所定の硬度をもって任意の形状にブロック化して外表面の所定の位置にそれぞれ凸部または凹部の少なくとも一方を有する複数個の植栽用材を形成し、凸部を有する植栽用材の凸部を凹部を有する植栽用材の凹部に嵌合させることにより複数個の植栽用材を連結または組み合せるようにしたので、植物の立体的栽培、育成および植栽を可能とするとともに、給水作業の回数の削減化にともない、農作物や果実栽培の作業効率の向上を可能とし、さらには、土地の有効利用、空間的演出効果の向上が屋内外を問わずに得られる効果を奏する。
【図面の簡単な説明】
【図１】この考案による植栽用材用具の第１実施の形態を示す平面図である。
【図２】この考案による植栽用材用具の第１実施の形態を門扉のブロック門柱に装着した状態を示す斜示図である。
【図３】この考案による植栽用材用具の第２実施の形態を示す平面図である。
【図４】この考案による植栽用材用具の第３実施の形態を示す平面図である。
【図５】この考案による植栽用材用具の第４実施の形態をアーチ型門扉の門柱に装着した状態を示す斜示図である。
【図６】この考案による植栽用材用具の第５実施の形態を生垣に適用した状態を示す斜示図である。
【図７】この考案による植栽用材用具の第６実施の形態を示す平面図である。
【符号の説明】
１，７　第１の植栽用材
１ａ，１ｂ，６ｂ　凹部
２，８　第２の植栽用材
２ａ，２ｂ，６ａ〜８ａ，１３ａ〜１６ａ，１３ｂ〜１６ｂ，１３ｃ〜１５ｃ　凸部
３，１０　門扉
４ａ，４ｂ　門柱
５，１７　植物
６、１３〜１６、１８　植栽用材
９　アーチ型門柱
１１ａ〜１１ｄ　コンクリートブロック
１２　上枠
１９　枠
２０　植栽用材用具
【図１】
0003097687.tif 000003
【図２】
0003097687.tif 000004
【図３】
0003097687.tif 000005
【図４】
0003097687.tif 000006
【図５】
0003097687.tif 000007
【図６】
0003097687.tif 000008
【図７】
0003097687.tif 000009